(57)【要約】【課題】  簡単な構成でありながらオーディオ信号の出力と携帯電話の着信の確認が可能であり、さらには通話が可能なヘッドホンを提供する。【解決手段】  オーディオ機器５に接続されるヘッドホン１である。無線によって電話機（携帯電話６）との間で信号の授受を行う送受信ユニット７を備え、携帯電話６より送信される着信信号及び通話信号を受信し、着信音及び通話音声を出力する。また、マイクロフォン８を備え、マイクロフォン８に向かって発声した音声が音声信号に変換されて携帯電話６に送信される。【選択図】  図１
2006049981.tif 000002
【特許請求の範囲】
【請求項１】
オーディオ機器に接続されるヘッドホンであって、
無線によって電話機との間で信号の授受を行う送受信ユニットを備え、電話機より送信される着信信号及び通話信号を受信し、着信音及び通話音声を出力することを特徴とするヘッドホン。
【請求項２】
マイクロフォンを備え、マイクロフォンに向かって発声した音声が音声信号に変換されて電話機に送信されることを特徴とする請求項１記載のヘッドホン。
【請求項３】
マイクロフォンがオーディオ機器に設けられていることを特徴とする請求項１記載のヘッドホン。
【請求項４】
前記無線の規格がブルートゥースであることを特徴とする請求項１から３のいずれか１項記載のヘッドホン。
【請求項５】
前記オーディオ機器が、携帯型のオーディオ機器であることを特徴とする請求項１から４のいずれか１項記載のヘッドホン。
【請求項６】
前記電話機が、携帯電話であることを特徴とする請求項１から５のいずれか１項記載のヘッドホン。
【発明の詳細な説明】
【技術分野】
【０００１】
本発明は、耳に装着してオーディオ機器により再生される音楽等を視聴するためのヘッドホンに関するものであり、特に、ヘッドセット機能を付加した新規なヘッドホンに関するものである。
【背景技術】
【０００２】
オーディオ機器において再生される音楽等をヘッドホンで聴いている場合、携帯電話に着信があっても気が付かないことがあり、オーディオ機器の音量を小さくしておく必要がある。また、携帯電話により通話する場合には、ヘッドホンを外さないと通話ができず、使い勝手の点で改良が求められている。
【０００３】
例えば、携帯電話機に関しては、その使い勝手をさらに改善するという目的で、いわゆるハンズフリータイプの携帯電話機が開発されており、スピーカやマイクを内蔵し、耳に装着して使用する、いわゆるヘッドセット装置が市販されている。ただし、通常のヘッドセット装置は、オーディオ機器への接続は考えられておらず、オーディオ機器と携帯電話の機能を両立することは難しい。
【０００４】
このような状況から、ヘッドホンを装着した状態で着信に応答したり、電話をかけることができるようにしたヘッドホン型携帯電話機も提案されている（例えば、特許文献１等を参照）。この特許文献１に記載されるヘッドホン型携帯電話機は、ＭＤプレーヤ等からの再生オーディオ信号（例えば音楽）を出力させる通常のヘッドホンにおけるオーディオ信号出力機能の他、基地局と無線で通信し、電話網に接続される端末と通話することができる通話機能を有している。
【特許文献１】特開２０００−２０９３６３号公報
【発明の開示】
【発明が解決しようとする課題】
【０００５】
しかしながら、特許文献１記載の発明のように、ヘッドホン自体に携帯電話機の機能の全てを内蔵するようにすると、ヘッドホンの大型化や重量増を招き、軽快な装着感を損なうおそれがある。また、信号処理のための回路構成も複雑なものとなり、組み合わせるオーディオ機器も制約される等、ヘッドホンを汎用することが難しくなる。
【０００６】
本発明は、このような従来の実情に鑑みて提案されたものである。すなわち、本発明は、簡単な構成でありながらオーディオ信号の出力と携帯電話の着信の確認が可能であり、さらには通話が可能なヘッドホンを提供することを目的とする。また、本発明は、必要最小限の機能の追加により、大型化や重量増により装着感を損なうことがなく、任意のオーディオ機器に接続して使用することが可能なヘッドホンを提供することを目的とする。
【課題を解決するための手段】
【０００７】
上述の目的を達成するために、本発明に係るヘッドホンは、オーディオ機器に接続されるヘッドホンであって、無線によって電話機（例えば携帯電話）との間で信号の授受を行う送受信ユニットを備え、携帯電話より送信される着信信号及び通話信号を受信し、着信音及び通話音声を出力することを特徴とする。
【０００８】
本発明のヘッドホンでは、携帯電話に着信があった場合、音楽等のオーディオ出力に重畳もしくは、切り替わりにて着信音が使用者に通知される。したがって、オーディオ機器の音量を小さくしなくとも、使用者は携帯電話の着信を確実に認知し得る。また、ヘッドホンを外さなくとも、
通話音声を聞くことができ、例えばヘッドホン自体、あるいはオーディオ機器にマイクロフォンを設け、このマイクロフォンに向かって発声した音声が音声信号に変換されて携帯電話に送信されるようにすれば、携帯電話を介して通話が可能であり、ヘッドホンにヘッドセットとしての機能が付与される。
【０００９】
また、本発明のヘッドホンは、携帯電話機の構成の全てを内蔵するわけではなく、着信音の通知、及び通話に必要な最小限の構成が組み込まれるに止まる。したがって、重量増が抑制され、大型化することもない。さらに、オーディオ機器と通話機能とを統合的に制御する必要もないので、回路構成も簡単なもので済み、また任意のオーディオ機器との接続が可能である。
【発明の効果】
【００１０】
本発明によれば、簡単な構成でありながらオーディオ信号の出力と携帯電話の着信の確認が可能であり、さらには通話が可能なヘッドホンを提供することが可能である。また、本発明によれば、大型化や重量増により装着感を損なうことがなく、任意のオーディオ機器に接続して使用することが可能なヘッドホンを提供することが可能である。
【発明を実施するための最良の形態】
【００１１】
以下、本発明を適用したヘッドホンについて、図面を参照して詳細に説明する。
【００１２】
図１は、本発明のヘッドホンの装着状態を示すものである。ヘッドホン１は、通常のヘッドホンと同様、頭もしくは耳に装着して使用されるものであり、スピーカを内蔵し左右の耳に装着されるスピーカ部２，３、及びこれらスピーカ部２，３を繋ぐ連結部４とから構成される。そして、例えば携帯型のオーディオ機器５と接続され、オーディオ機器５で再生される音楽等を前記スピーカ部２，３に内蔵されるスピーカより出力する。
【００１３】
本発明のヘッドホン１は、前記オーディオ機器５に接続されて使用される本来のヘッドホンとしての機能の他、ヘッドセットとしての機能も有し、そのため携帯電話６との間で着信信号や通話信号の授受を行う送受信ユニット７が内蔵されている。送受信ユニット７は、無線規格として例えばブルートゥース（Bluetooth）を採用し、前記携帯電話６との間で無線の信号の授受を行う。したがって、携帯電話６も、これに対応してブルートゥース規格の送受信ユニットを組み込んでおく必要がある。
【００１４】
ブルートゥース（Bluetooth）は、２．４ＧＨｚの周波数の電波を使って、例えば携帯機器や携帯電話、パソコン等、様々な機器の間で簡単にお互いを認識したり、データのやりとりができるようにする技術であり、対応のモジュールも小さく、低消費電力なものが存在し、携帯機器にも搭載し易いという特長を有する。したがって、これを信号授受のための無線規格として採用することで、ヘッドホン１や携帯電話６をさほど大型化することなく、無線手段を組み込むことが可能になる。
【００１５】
また、相互通話のためには、ヘッドホン１を装着した使用者の声を送信する必要がある。そこで、本例では、一方のスピーカ部２から装着時に装着者の口の近くまで張り出すようにマイクロフォン８が設けられている。マイクロフォン８に向かって発声した音声は、音声信号に変換されて前記送受信ユニット７を介して携帯電話６に送信される。これにより、使用者は、受信した音声をスピーカ部２，３で聞き、マイクロフォン８を通じて音声を送信することができる。
【００１６】
マイクロフォン８の設置位置としては、これに限らず、例えば図２のＡ位置、すなわちヘッドホン１のケーブル９上に設けられたリモコン部１０に組み込みことも可能である。あるいは、図２のＢ位置、すなわちオーディオ機器５に組み込むことも可能である。
【００１７】
前述の通り、ヘッドホン１と携帯電話６の間の信号の授受は、無線方式（ＲＦ）に限られるが、ヘッドホン１とオーディオ機器５の間は、有線方式、無線方式のいずれであってもよい。また、オーディオ機器５も、携帯型のオーディオ機器に限らず、固定使用するものであってもよく、例えばテレビジョン受像機等であってもよい。携帯電話６も、これに限らず、固定型の電話機であってもよい。例えば、テレビジョン受像機のヘッドホンに、固定電話機、携帯電話のヘッドセット機能を付加した組み合わせ等も、好適な使用形態である。
【００１８】
以上の構成を有するヘッドホン１では、例えば電話が掛かってきた場合、音楽に着信音が重畳されて使用者に通知される。使用者は、それによりスイッチボタン操作し、ヘッドセット専用に切り替え、通話を行う。切り替えモードとしては、例えばオーディオ信号のみ、ヘッドセット機能のみ、オーディオ信号＋ヘッドセットの３種類を挙げることができ、使用者はこれらの中から使用状況に合わせて選択する。
【００１９】
これにより、ヘッドホン１を装着使用する使用者は、ボタン操作のみで音楽鑑賞と通話とを切り替えることができ、オーディオ機器５と携帯電話６を持ち替える必要がない。また、ヘッドホン部（スピーカ、レシーバ、バッテリー、操作ボタン、表示部、筐体等）がオーディオ機器用とヘッドセット用とで共通使用されるため、ローコストで２つの機能を持たせることが可能である。
【００２０】
さらに、オーディオ機器５により再生される音楽等、オーディオ機器５の再生内容を電話の相手に伝えることができ、バックグラウンドミュージック（ＢＧＭ）としての使用、若しくは共通の話題の提供が可能である。
【００２１】
また、使用者は、音楽鑑賞中でも重畳される着信音により携帯電話の着信に気付くことができ、例えばオーディオ機器５の表示部（液晶パネルやＬＥＤ等）に携帯電話６の着信情報（発信者名、電話番号等）を表示するようにすれば、携帯電話６を見ることなく、より速やかな対応が可能である。
【図面の簡単な説明】
【００２２】
【図１】本発明を適用したヘッドホンの装着状態の一例を示す概略斜視図である。
【図２】本発明を適用したヘッドホンの他の例を示す概略斜視図である。
【符号の説明】
【００２３】
１      ヘッドホン
２，３  スピーカ部
４      連結部
５      オーディオ機器
６      携帯電話
７      送受信ユニット
８      マイクロフォン
９      ケーブル
１０      リモコン部
【図１】
2006049981.tif 000003
【図２】
2006049981.tif 000004